(57)【特許請求の範囲】
【請求項１】
筒状の容器本体と該容器本体の上端及び下端をそれぞれ閉じる蓋板及び底板とを備えて、前記蓋板に前記容器本体内に連通した管接続部が設けられ、前記底板にはその下面から下方に突出した内筒が一体に設けられて該内筒の内側の空間が前記底板を貫通した孔を通して前記容器本体内に連通させられた吸湿剤収納容器と、前記内筒を内側に収容した状態で前記底板に着脱可能に取り付けられて前記吸湿剤収納容器内の圧力と大気圧との差に応じて前記吸湿剤収納容器内から外部への排気と外部から前記吸湿剤収納容器内への吸気を行わせる呼吸器とを備え、前記吸湿剤収納容器内に吸湿剤が収納されて、前記管接続部に接続された接続管が油入り電気機器のタンクに直接またはコンサベータを介して接続される油入り電気機器用吸湿呼吸装置において、
前記内筒の外周に嵌合し得るように形成された周壁部と該周壁部の下端を閉鎖する底壁部とを一体に有して該底壁部の下面に下方に開口した凹部が形成されたアダプタ本体と、前記アダプタ本体の周壁部の内側に配置されて一端が前記底壁部よりも上方の位置で前記周壁部内に開口し、他端が前記底壁部を貫通して前記凹部内に連通した呼吸管とを備えたアダプタが設けられ、
前記アダプタは、前記周壁部を前記内筒の外周に嵌合させ、前記呼吸管を前記内筒の内側に位置させた状態で前記吸湿剤収納容器の底板に取り付けられて、前記アダプタの周壁部と前記内筒との嵌合部がパッキンにより気密にシールされ、
前記呼吸器は、前記吸湿剤収納容器内から外部への排気を行わせる排気弁と、外部から前記吸湿剤収納容器内への吸気を行わせる吸気弁とをフレームに取り付けて構成した呼吸用弁機構からなっていて、該呼吸用弁機構のフレームが前記アダプタ容器の底壁部の凹部を下方から気密に塞ぐように配置されてネジにより前記アダプタに締結され、
前記呼吸用弁機構が、前記アダプタ容器の底壁部の凹部内と前記呼吸管とを通して前記排気及び吸気を行うように構成されていること、
を特徴とする油入電気機器用吸湿呼吸装置。
【請求項２】
前記呼吸用弁機構のフレームには、上端が前記凹部内に開口した排気弁収容穴及び吸気弁収容穴が形成され、
前記排気弁収容穴の底部及び吸気弁収容穴の底部にそれぞれ排気用弁座及び吸気用弁座が設けられて、該排気用弁座及び吸気用弁座とともに前記排気弁及び吸気弁を構成する排気用弁体及び吸気用弁体が前記排気弁収容穴内及び吸気弁収容穴内に挿入され、
前記排気弁収容穴の上端の開口部を気密に閉じて前記排気弁収容穴と前記アダプタの凹部との間を仕切る蓋体が設けられ、
前記フレーム内には、前記排気弁収容穴内の前記排気用弁体よりも下方の空間を前記フレーム内を通して前記アダプタの凹部内に連通させる第１の排気孔と、前記排気用弁体の周囲の空間を前記フレーム内を通して外部に連通させる第２の排気孔と、前記吸気弁収容穴内を前記フレーム内を通して外部に連通させる吸気孔とが設けられ、
前記アダプタの凹部内の圧力が大気圧よりも第１の設定値以上高くなったときに前記排気弁が開き、前記アダプタの凹部内の圧力が大気圧よりも第２の設定値以上低くなったときに前記吸気弁が開くように、前記排気用弁体及び吸気用弁体の質量が設定されていること、
を特徴とする請求項１に記載の油入電気機器用吸湿呼吸装置。
【請求項３】
前記吸気孔の前記吸気弁収容穴と反対側の開口部及び前記第２の排気孔の前記排気弁収容穴と反対側の開口部はともに下方に開口するように設けられ、
前記吸気孔の下方に開口した開口部及び前記第２の排気孔の下方に開口した開口部をそれぞれ塞ぐ第１のフィルタ及び第２のフィルタが前記フレームに取り付けられている請求項２に記載の油入電気機器用吸湿呼吸装置。
【請求項４】
前記アダプタの周壁部の外周と前記呼吸用弁機構のフレームの外周とに跨がって伸びる筒状の保護カバーが前記アダプタの周壁部の外周にネジ止めされ、
前記保護カバーの内側に前記呼吸用弁機構が配置されていることを特徴とする請求項２または３に記載の油入電気機器用吸湿呼吸装置。
【発明の詳細な説明】
【技術分野】
【０００１】
本発明は、油入変圧器、油入リアクトル等の油入電気機器に用いる吸湿呼吸装置に関するものである。
【背景技術】
【０００２】
変圧器等の電気機器本体を絶縁油とともにタンク内に収容した油入電気機器においては、機器の温度変化や周囲温度の変化により絶縁油が膨張収縮してタンク内の圧力が変動するため、タンク内の圧力を調整するために呼吸を行なわせる必要がある。呼吸に伴ってタンク内に空気を流入させると、水分の混入や、酸化により絶縁油が劣化し、絶縁性能が低下する。そのため、通常は、タンクの上部にコンサベータを取り付けて、絶縁油の油面を該コンサベータ内に位置させることにより、タンク内の絶縁油に直接空気が接触するのを防いでいる。この場合、油面レベルの変化に伴うコンサベータ内の圧力変動を一定の範囲内に収めるため、コンサベータに吸湿呼吸装置を接続して呼吸を行なわせている。
【０００３】
吸湿呼吸装置は、コンサベータ内の絶縁油に湿気が到達するのを防ぐために、吸湿剤を通して呼吸を行わせるものであるが、常時外気が吸湿剤に触れていると、吸湿剤が早期に劣化してしまう。そのため、この種の呼吸装置では、コンサベータ内の圧力が規定の範囲内にあって、呼吸が行われない状態では、吸湿呼吸装置内と外気との間での空気の流通を断っておいて、コンサベータ内の圧力が規定範囲を上回ったときに排気を行わせ、コンサベータ内の圧力が規定範囲を下回ったときに吸気を行わせるようにしておく必要がある。
【０００４】
なおコンサベータを設ける代りに、油入電気機器のタンク内の上部に油面の上昇を許容する空間を設けて、該タンクの上部に直接吸湿呼吸装置を接続する場合もある。
【０００５】
油入電気機器用の吸湿呼吸装置は、筒状の容器本体と該容器本体の上端及び下端をそれぞれ閉じる蓋板及び底板とを備えて、蓋板に容器本体内に連通した管接続部が設けられ、底板にはその下面から下方に突出した内筒が一体に設けられて該内筒の内側の空間が底板を貫通した通気孔を通して容器本体内に連通している吸湿剤収納容器と、上記内筒を内側に収容した状態で底板に着脱可能に取り付けられて吸湿剤収納容器内の圧力と外気の圧力との差に応じて吸湿剤収納容器内から外部への排気と外部から吸湿剤収納容器内への吸気とを行わせる呼吸器とを備えている。
【０００６】
従来、呼吸器としては、例えば特許文献１に示されているように、吸湿剤収納容器の底板に設けられた内筒を内部に受入れた状態で該吸湿剤収納容器の底板に取り付けられるオイルポットが広く用いられていた。オイルポット内にはシール油が収容され、吸湿剤収納容器の底板に設けられた内筒の下端がシール油中に浸漬されることにより、吸湿剤収納容器内と外気との間の遮断が図られる。
【０００７】
ところが、オイルポットを用いた場合には、その内部のシール油の量の点検を定期的に行う必要があるだけでなく、オイルポット内のクリーニングやシール油の交換を定期的に行う必要があるため、保守点検が面倒になるのを避けられなかった。またシール油が漏れて周囲を汚染するおそれがあった。
【０００８】
そこで、最近では、特許文献２に示されているように、オイルポットを用いずに、排気弁と、吸気弁とを備えた機械式の呼吸用弁機構を用いて呼吸を行わせるようにした吸湿呼吸装置が用いられるようになった。この種の吸湿呼吸装置は、上部及び下部がそれぞれ蓋板及び底板により閉じられ、内部が通気性を有する仕切り板で上部室と下部室とに仕切られた筒状の吸湿剤収納容器と、上部室内に連通させるようにして吸湿剤収納容器の蓋板に取り付けられた通気管と、吸湿剤収納容器の底板に取り付けられて容器内の圧力と外気の圧力との差に応じて排気または吸気を行わせる呼吸用弁機構と、容器内の上部室内に収容された吸湿剤とを備えており、容器の蓋板に取り付けられた通気管が油入電気機器のタンクにコンサベータを介して接続される。
【０００９】
この種の呼吸装置で用いられている呼吸用弁機構においては、呼吸装置内の圧力が外気の圧力よりも第１の設定レベル以上高くなったときに排気弁を開いて呼吸装置内の圧力を開放させ、呼吸装置内の圧力が外気圧よりも第２の設定値以上低くなったときに吸気弁が開いて外気を呼吸装置内に流入させるようにしている。
【先行技術文献】
【特許文献】
【００１０】
【特許文献１】実開昭５９−４６２０号公報
【特許文献２】特開２００９−５４８３４号公報
【発明の概要】
【発明が解決しようとする課題】
【００１１】
油入電気機器の呼吸器のメンテナンスを容易にし、シール油が外部に漏れるのを防ぐためには、オイルポットを用いた既設の吸湿呼吸装置においても、オイルポットに代えて、機械式の呼吸用弁機構を用いるようにすることが好ましい。
【００１２】
ところが、既提案の呼吸用弁機構は、吸湿剤収納容器の底板の下面に直接取り付けるように構成されていたため、オイルポットを取り付けるために吸湿剤収納容器の底板の下面から下方に突出させて内筒が設けられている場合には、該内筒が邪魔になって、呼吸用弁機構を取り付けることができなかった。
【００１３】
本発明の目的は、オイルポットを取り付けることを想定して吸湿剤収納容器の底板の下面に内筒が設けられている場合でも、オイルポットに代えて呼吸用弁機構を取り付けることができるようにした油入電気機器用吸湿呼吸装置を提供することにある。
【課題を解決するための手段】
【００１４】
本発明は、筒状の容器本体と該容器本体の上端及び下端をそれぞれ閉じる蓋板及び底板とを備えて、蓋板に容器本体内に連通した管接続部が設けられ、底板にはその下面から下方に突出した内筒が一体に設けられて該内筒の内側の空間が底板を貫通した孔を通して容器本体内に連通させられた吸湿剤収納容器と、内筒を内側に収容した状態で上記底板に着脱可能に取り付けられて吸湿剤収納容器内の圧力と大気圧との差に応じて吸湿剤収納容器内から外部への排気と外部から吸湿剤収納容器内への吸気を行わせる呼吸器とを備えて、吸湿剤収納容器内に吸湿剤が収納されて、上記管接続部に接続された通気管が油入り電気機器のタンクに直接またはコンサベータを介して接続される油入り電気機器用吸湿呼吸装置を対象とする。
【００１５】
本発明においては、内筒の外周に嵌合し得るように形成された周壁部と該周壁部の下端を閉鎖する底壁部とを一体に有して該底壁部の下面に下方に開口した凹部が形成されたアダプタ本体と、アダプタ本体の周壁部の内側に配置されて一端が底壁部よりも上方の位置で周壁部内に開口し、他端が底壁部を貫通して上記凹部内に連通した呼吸管とを備えたアダプタが設けられる。このアダプタは、その周壁部を吸湿剤収納容器の底板に設けられた内筒の外周に嵌合させ、呼吸管を内筒の内側に位置させた状態で吸湿剤収納容器の底板に取り付けられ、アダプタの周壁部と内筒との嵌合部がパッキンにより気密にシールされる。
【００１６】
また呼吸器は、吸湿剤収納容器内から外部への排気を行わせる排気弁と、外部から吸湿剤収納容器内への吸気を行わせる吸気弁とをフレームに取り付けて構成した呼吸用弁機構からなっていて、該呼吸用弁機構のフレームがアダプタ容器の底壁部の凹部を下方から気密に塞ぐように配置されてネジによりアダプタに締結され、呼吸用弁機構が、アダプタ容器の底壁部の凹部内と前記呼吸管とを通して排気及び吸気を行うように構成されている。
【００１７】
上記のように、吸湿剤収納容器の底板に設けられた内筒に嵌合された状態で該容器に取り付けられるアダプタを設けて、このアダプタに呼吸用弁機構を取り付けるようにすると、吸湿剤収納容器の底板にオイルポットを取り付けることを想定して該底板の下面から下方に突出した内筒が設けられている場合であっても、該内筒に邪魔されることなく、シール油を用いないオイルレスの呼吸用弁機構を吸湿剤収納容器に取り付けることができる。従って、既設の吸湿呼吸装置のオイルポットを機械式の呼吸用弁機構と交換して、吸湿呼吸装置のメンテナンスを容易にすることができる。
【００１８】
また上記のように構成すると、アダプタと呼吸用弁機構との接続構造を標準化して、種々の油入電気機器の吸湿呼吸装置に適合するアダプタを用意することにより、既設の種々の油入電気機器の吸湿呼吸装置のオイルポットを同じ型の呼吸用弁機構で置き換えることができ、吸湿呼吸装置の型式が異なる毎に異なる呼吸用弁機構を用意する必要がないため、コストの上昇を招くことなく、既設の吸湿呼吸装置のオイルポットをオイルレスの呼吸用弁機構で置き換える改良を行うことができる。
【００１９】
更に上記のように構成すると、呼吸用弁機構と吸湿剤収納容器とを接続する呼吸管が吸湿剤収納容器の底板の下面に設けられた内筒部内に配置されるため、吸湿剤収納容器内の下部に呼吸管を配置するためのスペースを確保する必要がなく、吸湿呼吸装置の大形化を招くことなく、オイルレスの呼吸用弁機構を備えた吸湿呼吸装置を構成することができる。
【００２０】
本発明の好ましい態様では、上記呼吸用弁機構のフレームに、アダプタの底壁部の下面に設けられた凹部内に上端が開口した排気弁収容穴及び吸気弁収容穴が形成され、排気弁収容穴の底部及び吸気弁収容穴の底部にそれぞれ排気用弁座及び吸気用弁座が設けられて、該排気用弁座及び吸気用弁座とともに排気弁及び吸気弁を構成する排気用弁体及び吸気用弁体が排気弁収容穴内及び吸気弁収容穴内に挿入される。また排気弁収容穴の上端の開口部を気密に閉じて排気弁収容穴とアダプタの凹部との間を仕切る蓋体が設けられる。更にフレーム内には、排気弁収容穴内の排気用弁体よりも下方の空間をフレーム内を通してアダプタの凹部内に連通させる第１の排気孔と、排気用弁体の周囲の空間をフレーム内を通して外部に連通させる第２の排気孔と、吸気弁収容穴内をフレーム内を通して外部に連通させる吸気孔とが設けられ、アダプタの凹部内の圧力が大気圧よりも第１の設定値以上高くなったときに排気弁が開き、アダプタの凹部内の圧力が大気圧よりも第２の設定値以上低くなったときに吸気弁が開くように、排気用弁体及び吸気用弁体の質量が設定される。
【００２１】
本発明の他の好ましい態様では、吸気孔の吸気弁収容穴と反対側の開口部及び第２の排気孔の排気弁収容穴と反対側の開口部がともに下方に開口するように設けられ、吸気孔の下方に開口した開口部及び第２の排気孔の下方に開口した開口部をそれぞれ塞ぐ第１のフィルタ及び第２のフィルタがフレームに取り付けられている。
【００２２】
本発明の好ましい態様では、アダプタの周壁部の外周と呼吸用弁機構のフレームの外周とに跨がって伸びる筒状の保護カバーがアダプタの周壁部の外周にネジ止めされ、保護カバーの内側に呼吸用弁機構が配置される。
【発明の効果】
【００２３】
上記のように、本発明においては、吸湿剤収納容器の底板に設けられた内筒に嵌合された状態で該容器に取り付けられるアダプタを設けて、このアダプタに呼吸用弁機構を取り付けるようにしたので、吸湿剤収納容器の底板にオイルポットを取り付けることを想定して該底板の下面から下方に突出した内筒が設けられている場合であっても、該内筒に邪魔されることなく、シール油を用いないオイルレスの呼吸用弁機構を吸湿剤収納容器に取り付けることができる。従って、既設の吸湿呼吸装置のオイルポットを機械式の呼吸用弁機構と交換して、吸湿呼吸装置のメンテナンスを容易にすることができる。
【００２４】
本発明によればまた、アダプタと呼吸用弁機構との接続構造を標準化して、種々の油入電気機器の吸湿呼吸装置に適合するアダプタを用意することにより、既設の種々の油入電気機器の吸湿呼吸装置のオイルポットを同じ型の呼吸用弁機構で置き換えることができるため、吸湿呼吸装置の型式が異なる毎に異なる呼吸用弁機構を用意する必要がない。従って、本発明によれば、コストの上昇を招くことなく、既設の吸湿呼吸装置のオイルポットをオイルレスの呼吸用弁機構で置き換える改良を行うことができる。
【００２５】
更に本発明においては、呼吸用弁機構と吸湿剤収納容器とを接続する呼吸管を吸湿剤収納容器の底板の下面に設けられた内筒部内に配置するようにしたため、吸湿剤収納容器内の下部に呼吸管を配置するためのスペースを確保する必要がない。従って本発明によれば、吸湿呼吸装置の大形化を招くことなく、オイルレスの呼吸用弁機構を備えた吸湿呼吸装置を構成することができる。
【図面の簡単な説明】
【００２６】
【図１】本発明の一実施形態に係わる吸湿呼吸装置を油入電気機器のタンクの上部に取り付けられた接続管に接続した状態を一部断面して示した正面図である。
【図２】（Ａ）は本発明の一実施形態に係わる吸湿呼吸装置の要部の構成を一部断面して示した正面図である。（Ｂ）は（Ａ）の底面図である。
【図３】図２（Ａ）の右側面図である。
【図４】本発明の一実施形態に係わる吸湿呼吸装置を分解した状態を示す正面図である。
【図５】本実施形態で用いる呼吸用弁機構の拡大断面図である。
【発明を実施するための形態】
【００２７】
以下図面を参照して本発明の実施形態を詳細に説明する。
図１において、１は油入変圧器のタンク、２はタンク１の上部に一端が接続され、他端が下方に開口した逆Ｊ字形の接続管、３は接続管３の他端に接続された吸湿呼吸装置である。
【００２８】
吸湿呼吸装置３は、吸湿剤容器４と、吸湿剤容器４の底板にアダプタ５を介して着脱可能に取り付けられて、吸湿剤収納容器４内の圧力と大気圧との差に応じて吸湿剤収納容器４内から外部への排気と外部から吸湿剤収納容器４内への吸気と行わせる呼吸器６と、アダプタ５と呼吸器６とを覆う保護筒７とを備えている。
【００２９】
吸湿剤容器４は、透明な材料からなる筒状の容器本体４０１と、該容器本体の上端及び下端をそれぞれ閉じる蓋板４０２及び底板４０３とを備えて、蓋板４０２に容器本体４０１内に連通した管接続部４０４が設けられている。底板４０３にはその下面から下方に突出した円筒状の内筒４０５が一体に設けられ、内筒４０５の内側の空間が底板４０３を貫通した孔を通して容器本体４０１内に連通させられている。底板４０３の外周寄りの部分には、内筒４０５を同心的に取り囲む環状の裾部４０６が形成され、この裾部４０６の互いに１８０度離れた対称位置には、底板４０３に取り付けられる部材を保持する保持金具を裾部４０６に引っ掛けるために用いる一対のスリット状の孔部４０７，４０７（図４参照）が形成されている。
【００３０】
吸湿剤収納容器４内にはシリカゲル等の吸湿剤が収納され、管接続部４０４がネジ結合により接続管２の他端に接続されている。吸湿剤収納容器４内は、変圧器のタンク１内の上部に形成された油面上方の空間に接続管２を通して連通させられている。
【００３１】
図示してないが、吸湿剤収納容器４の容器本体４０１は、蓋板４０２から外すことができるようになっていて、容器本体４０１を蓋板４０２から外した状態で、容器本体４０１内に吸湿剤を投入することができるようになっている。
【００３２】
吸湿剤収納容器４の底板に設けられた内筒４０５は、呼吸器としてオイルポットを用いる場合を想定して設けられたものであり、孔部４０７、４０７はオイルポットを保持する金具を引っ掛けるために設けられているが、本発明では、内筒４０５及び孔部４０７，４０７を利用して、アダプタ５を取り付け、このアダプタに呼吸用弁機構６００からなるオイルレスの呼吸器６を取り付ける。
【００３３】
図４に示されているように、アダプタ５は、内筒４０５の外周に嵌合し得るように形成された周壁部５０１と、該周壁部５０１の下端を閉鎖する底壁部５０２とを一体に有して底壁部５０２の下面に下方に開口した凹部５０３が形成されたアダプタ本体５０４と、アダプタ本体５０４の周壁部の内側に配置されて一端５０５ａが底壁部５０２よりも上方の位置で周壁部５０１内に開口し、他端５０５ｂが底壁部５０２を貫通して凹部５０３内に連通した逆Ｌ字形の呼吸管５０５とを備えている。呼吸管５０５は、吸湿剤収納容器４内から吸湿剤の粉塵が落下したときに、該粉塵が呼吸用弁機構６００側に侵入してその動作を阻害するのを防ぐために必要である。
【００３４】
アダプタ本体５０４の周壁部５０１の対称位置には、該アダプタを吸着剤収納容器４の底板に保持するための保持金具を締結するネジを螺合させるためのネジ孔５０６，５０６が形成されている。アダプタ本体５０４の周壁部５０１の下端には、呼吸器６を構成する呼吸用弁機構６００をアダプタ５に締結するためのネジを螺合させる４個のネジ孔５０７が９０度間隔で設けられている。
【００３５】
アダプタ本体５０４の周壁部５０１の上端部内周には環状の溝部５０８が形成されていて、この溝内に、アダプタ５と内筒４０５との間をシールするパッキン５０９が保持されている。
【００３６】
アダプタ５は、アダプタ本体５０４の周壁部５０１を、内筒４０５の外周にパッキン５０９を介して嵌合させた状態で配置され、後記するように、アダプタ本体５０４の外周に保護筒７を嵌合させた後に、アダプタ本体５０４に取り付けられた保持金具１０を介して、保護筒７と共に吸湿剤収納容器４の底板部４０３に保持される。
【００３７】
本実施形態で用いる保持金具１０は、上端に鈎状部１０ａが形成された帯板状の金具からなっている。保持金具１０は、その上端の鈎状部１０ａが吸湿剤収納容器４の底板部４０３の外周寄りの裾部４０６に形成された孔部４０７に挿入されて、裾部４０６に引っ掛けられた状態で設けられ、その下端が、アダプタ５の外周に嵌合された保護筒７の外周にカラー１１を介して当接されている。保持金具１０とカラー１１とを貫通したネジ１２がアダプタ本体５０４のネジ孔５０６に螺合されることにより、保持金具１０が保護筒７及びアダプタ４に締結され、アダプタ５及び保護筒７が、保持金具１０を介して吸湿剤容器４の底板７０２に吊り下げられた状態で保持されている。
【００３８】
呼吸器６を構成する呼吸用弁機構６００は、アダプタ本体の底壁部５０２に設けられた凹部５０３を下方から塞ぐ状態でアダプタ本体５０４の下面に着脱可能に取り付けられて、凹部５０３内と呼吸管５０５とを通して排気及び吸気を行わせるように構成される。
【００３９】
図５に示されているように、呼吸用弁機構６００は、アダプタ５の底壁部に設けられた凹部５０３を下方から塞ぐように配置されてアダプタ５の下面に着脱可能な状態で接続されたフレーム６０１と、凹部５０３内を外部に連通させるようにしてフレーム６０１内に形成された排気通路６０２及び吸気通路６０３と、フレーム６０１に支持されて凹部５０３内の圧力が外部の圧力よりも高くなったときに排気通路６０２を開き、凹部５０３内の圧力が外部の圧力よりも低くなったときに排気通路６０２を閉じる排気弁６０４と、フレーム６０１に支持されて凹部５０３内の圧力が外部の圧力よりも高くなったときに吸気通路６０３を閉じ、凹部５０３内の圧力が外部の圧力よりも低くなったときに吸気通路６０３を開く吸気弁６０５とを備えている。
【００４０】
更に詳細に説明すると、フレーム６０１は、板厚方向を上下方向に向けた円板状の部材からなっていて、その上端側の外周部にはフランジ６１０が形成され、このフランジには、４個の取付け孔６１１が等角度間隔で設けられている。フレーム６０１の上端の端面には、円形の溝６１２が形成されていて、この溝内にパッキン６１３が収容されている。
【００４１】
フレーム６０１の凹部５０３に臨む上部には、該フレームの上端面に開口させて断面が円形を呈する排気弁収容穴６１５と吸気弁収容穴６１６とが並べて形成されている。排気弁収容穴６１５の底部には排気用弁座６１７が取り付けられ、排気弁収容穴６１５内に上下動自在に挿入された円柱状の金属ブロックからなる排気用弁体６１８が弁座６１７の上に載せられている。また吸気弁収容穴６１６の底部に吸気用弁座６１９が取り付けられ、吸気弁収容穴６１６内に上下動自在に挿入された円柱状の金属ブロックからなる吸気用弁体６２０が、弁座６１９の上に載せられている。
【００４２】
フレーム６０１にはまた、排気弁収容穴６１５内の側方の位置でフレーム６０１の上端に開口した第１の縦孔部６２２ａと、この縦孔部６２２ａの下端から排気弁収容穴６１５の真下の位置まで延びる横孔部６２２ｂと、横孔部６２２ｂの縦孔部６２２ａと反対側の端部から直角に立ち上がって排気弁収容穴６１５内に開口した第２の縦孔部６２２ｃとが形成され、縦孔部６２２ａと横孔部６２２ｂと縦孔部６２２ｃとにより、排気弁収容穴６１５内の排気用弁体６１８よりも下方の空間をフレーム６０１内を通して凹部５０３内に連通させる第１の排気孔６２２が構成されている。フレーム６０１内にはまた、排気用弁体の周囲の空間をフレーム６０１内を通して外部に連通させる第２の排気孔６２３が形成され、第１の排気孔６２２と、排気弁収容穴６１５と、第２の排気孔６２３とにより、フレーム６０１内を通して凹部５０３内を外部に連通させる前記排気通路６０２が構成されている。第２の排気孔６２３の排気弁収容穴６１５と反対側の開口部は下方に開口している。
【００４３】
フレーム６０１内にはまた、吸気弁収容穴６１６の真下で該フレームの下端に開口したフィルタ収容凹部６２５が設けられ、フィルタ収容凹部６２５の下方への開口部の周辺に環状のフィルタ押え板収容凹部６２７が形成されている。フィルタ収容凹部６２５と吸気弁収容穴６１６との間に、吸気弁収容穴６１６内をフレーム６０１内を通して外部に連通させる吸気孔６２６が形成され、吸気孔６２６の吸気弁収容穴６１６と反対側の開口部は下方に開口させられている。この例では、吸気孔６２６と吸気弁収容穴６１６とにより、フレーム６０１内を通して凹部５０３内を外部に連通させる吸気通路６０３が構成されている。
【００４４】
フレーム６０１の上端の端面にはまた、排気弁収容穴６１５の開口部を囲むようにして、フレーム６０１の上面に開口した溝６３０が形成され、この溝内にパッキン６３１が収容されている。そしてパッキン６３１の上に配置された蓋体６３２がネジ６３３によりフレーム６０１に締結され、この蓋体６３２により、排気弁収容穴６１５の上端の開口部が気密に閉じられて、排気弁収容穴６１５と凹部５０３との間が仕切られている。
【００４５】
この例では、排気用弁座６１７と排気用弁体６１８とにより排気弁６０４が構成され、吸気用弁座６１９と吸気用弁体６２０とにより吸気弁６０５が構成されている。そして、凹部５０３内の圧力が外気の圧力よりも第１の設定値以上高くなったときに排気弁６０４が開き、凹部５０３内の圧力が外気の圧力よりも第２の設定値以上低くなったときに吸気弁６０５が開くように、排気用弁体６１８及び吸気用弁体６２０の質量が設定されている。ここで、第１の設定値及び第２の設定値は異なっていてもよいが、通常は等しく設定しておくのが好ましい。
【００４６】
外部から呼吸用弁機構内に塵埃が侵入するのを防ぐため、フィルタ収容凹部６２５内に通気性を有する第１のフィルタ６３５が収容されている。フィルタ収容凹部６２５を下方から塞ぐことができる大きさを有して中央に通気孔６３６ａが形成された第１のフィルタ押え板６３６が凹部６２７内に配置され、このフィルタ押え板６３６が、ネジ６３７によりフレーム６０１に締結されて、第１のフィルタ６３５が押えられている。
【００４７】
また第２の排気孔６２３の下端の開口部と凹部６２７とを下方から覆うように通気性を有する第２のフィルタ６４０が配置され、この第２のフィルタを下方から押えるように、通気孔６４１ａを有する第２のフィルタ押え板６４１が配置されている。第２のフィルタ押え板６４１は、ネジ６４２によりフレーム６０１に締結され、このフィルタ押え板６４１によりフィルタ６４０が下方から押えられて、フレーム６０１に固定されている。
【００４８】
フレーム６０１に第１及び第２のフィルタ６３５及び６４０を取り付け、排気弁収容穴６１５内及び吸気弁収容穴６１６内にそれぞれ弁体６１８及び６２０を収容した後、フレーム６０１を、凹部５０３を下方から塞ぐ状態でアダプタ５の下面に当接させ、取り付け孔６１１に挿入したボルト２０をアダプタに設けられたネジ穴５０７にねじ込むことにより、フレーム６０１をアダプタ５に締結する。
【００４９】
上記のようにして呼吸用弁機構６００をアダプタ５に取り付けた後、アダプタ５の外周と呼吸用弁機構６００の外周とに保護筒７を嵌合させて、保持金具１０を取り付け、アダプタ５を内筒４０５の外周に嵌合させる。そして保護金具１０の上端の鉤状部１０ａを吸湿剤収納容器４の底板４０３の裾部４０６に設けられた孔部４０７に挿入して、鉤状部１０ａを裾部４０６に引っ掛けることにより、アダプタ５と呼吸用弁機構６００と保護筒７とを吸湿剤収納容器４に取り付ける。
【００５０】
上記の吸湿呼吸装置３において、変圧器のタンク１内の圧力と大気圧との差が設定値以下で、吸湿剤収納容器４内の圧力と大気圧との差が設定値以下のときには、排気用弁体６１８及び吸気用弁体６２０がそれぞれ自重により排気用弁座６１７及び吸気用弁座６１９に接触している（排気弁６０４及び吸気弁６０５が共に閉じている）ため、呼吸用弁機構６００による呼吸は行われず、容器７内は密閉状態に保たれる。
【００５１】
油入変圧器のタンク１内の絶縁油の温度が上昇して該絶縁油が膨張し、タンク１内の油面レベルが上昇すると、吸湿剤収納容器４内の圧力が上昇する。容器７内の圧力が大気圧よりも第１の設定値以上高くなると（容器内の圧力と大気圧との差圧が第１の設定値以上になると）、排気用弁体６１８が上方に押し上げられて排気弁６０４が開き、吸湿剤収納容器４内の空気が内筒４０５内と呼吸管５０５と凹部５０３と排気弁６０４とを通して外部に流出して容器４内の圧力が開放される。容器４内の圧力と大気圧との差が第１の設定値未満になると排気用弁体６１８が自重により排気用弁座６１７に接触して、排気弁６０４が閉じ、容器４内を密閉する。
【００５２】
またタンク１内の絶縁油の温度が低下して油面レベルが下降すると、容器４内の圧力が低下する。容器４内の圧力が大気圧よりも第２の設定値以上低くなると、吸気用弁体６２０が上方に押し上げられて吸気弁６０５が開き、外部から吸気弁６０５と凹部５０３と呼吸管５０５とを通して容器４内に空気が流入する。これにより容器４内の圧力が上昇する。容器４内の圧力と大気圧との差が第２の設定値未満になると吸気用弁体６２０が自重により吸気用弁座６１９に接触して吸気弁６０５が閉じ、容器４内を密閉する。
【００５３】
本発明においては、アダプタ５の底壁部５０２よりも上方の位置でアダプタ内に開口した呼吸管５０５をアダプタ５に設けて、この呼吸管５０５を内筒４０５内に配置したので、容器４から内筒４０５内に落下した吸湿剤の粉や欠片が呼吸用弁機構６００側に侵入するのを防ぐことができる。従って、吸湿剤の粉や欠片の侵入により排気弁６０４及び吸気弁６０５の密閉機能が喪失して、容器４の密閉状態が維持されなくなるおそれを無くすことができ、信頼性を向上させることができる。
【００５４】
また本発明においては、呼吸用弁機構６００を、容器４の底板４０３の下面に着脱可能に取り付けるので、呼吸用弁機構６００の着脱を簡単に行うことができ、その保守点検を容易に行なうことができる。
【００５５】
更に、上記のように、排気通路と外気との間及び吸気通路と外気との間に介在して空気室内に外部から粉塵が侵入するのを阻止する通気性のフィルタ６３５及び６４０を設けておくと、外部から到来する粉塵が排気弁６０４及び吸気弁６０５に侵入するのを防ぐことができるため、外部から到来する粉塵によりが排気弁６０４及び吸気弁６０５の密閉機能が喪失するのを防いで、信頼性を向上させることができる。
【００５６】
外部からの粉塵の侵入は、特に吸気弁が開いた際に起こりやすい。上記の実施形態では、第２の排気孔６２３の開口部を塞ぐ第２のフィルタ６４０を吸気孔６０３の開口部を塞ぐ第１のフィルタ６３５よりも下方に配置して、該第２のフィルタ６４０で第１のフィルタ６３５を覆うことにより、吸気孔６０３を二重に覆うようにしている。このように構成した場合には、吸気弁内に外部から粉塵が侵入するのを確実に防ぐことができる。
【００５７】
なお本発明は、上記のように第１のフィルタ及び第２のフィルタを配置する場合に限定されるものではなく、例えば、第２のフィルタ６４０を、第２の排気孔６２３の開口部のみを覆うように設けることができる。また吸気孔６２６の下方に開口した開口部及び第２の排気孔の下方に開口した開口部を塞ぐ一つのフィルタ（吸気孔及び排気孔に共通なフィルタ）を、フレームに取り付けるようにしてもよい。
【００５８】
本発明では、呼吸用弁機構６００が、アダプタ５の底壁部に設けられた凹部５０３を下方から塞ぐように取り付けられるので、吸湿剤収納容器４内から吸湿剤を回収することなく、呼吸器６を接続管２に接続したままの状態で、呼吸用弁機構６００の着脱を簡単に行なうことができる。従って、呼吸用弁機構６００の保守点検を容易に行なうことができる。
【００５９】
上記のように、吸湿剤収納容器４の底板に設けられた内筒４０５に嵌合された状態で該容器に取り付けられるアダプタ５を設けて、このアダプタに呼吸用弁機構６００を取り付けるようにすると、吸湿剤収納容器４の底板にオイルポットを取り付けることを想定して該底板の下面から下方に突出した内筒４０５が設けられている場合であっても、該内筒に邪魔されることなく、シール油を用いないオイルレスの呼吸用弁機構６００を吸湿剤収納容器４に取り付けることができる。従って、既設の吸湿呼吸装置のオイルポットを機械式の呼吸用弁機構と交換して、吸湿呼吸装置のメンテナンスを容易にすることができる。
【００６０】
また上記のように構成すると、アダプタ５と呼吸用弁機構６００との接続構造を標準化して、種々の油入電気機器の吸湿呼吸装置に適合するアダプタ５を用意しておくことにより、既設の種々の油入電気機器の吸湿呼吸装置のオイルポットを同じ型の呼吸用弁機構６００で置き換えることができ、吸湿呼吸装置の型式が異なる毎に異なる呼吸用弁機構を用意する必要がないため、コストの上昇を招くことなく、既設の吸湿呼吸装置のオイルポットをオイルレスの呼吸用弁機構６００で置き換える改良を行うことができる。
【００６１】
更に上記のように構成すると、呼吸用弁機構６００と吸湿剤収納容器４とを接続する呼吸管５０５が吸湿剤収納容器４の底板の下面に設けられた内筒部４０５内に配置されるため、吸湿剤収納容器４内の下部に呼吸管５０５を配置するためのスペースを確保する必要がなく、吸湿呼吸装置の大形化を招くことなく、オイルレスの呼吸用弁機構６００を備えた吸湿呼吸装置３を構成することができる。
【符号の説明】
【００６２】
１  変圧器のタンク
２  接続管
３  吸湿剤呼吸装置
４  吸湿剤収納容器
４０１  容器本体
４０２  蓋板
４０３  底板
４０４  管接続部
４０５  内筒
４０６  裾部
４０７  孔部
５  アダプタ
５０１  周壁部
５０２  底壁部
５０３  凹部
５０４  アダプタ本体
５０５  呼吸管
５０９  パッキン
６  呼吸器
６００  呼吸用弁機構
６０１  フレーム
６０２  排気通路
６０３  吸気通路
６０４  排気弁
６０５  吸気弁
６１０  フランジ
６１３  パッキン
６１５  排気弁収容穴
６１６  吸気弁収容穴
６１７  排気用弁座
６１８  排気用弁体
６１９  吸気用弁座
６２０  吸気用弁体
６２２  第１の排気孔
６２２ａ  第１の縦孔部
６２２ｂ  横孔部
６２２ｃ  第２の縦孔部
６２３  第２の排気孔
６２５  フィルタ収容凹部
６２７  フィルタ押え板収容凹部
６２６  吸気孔
６３５  第１のフィルタ
６３６  第１のフィルタ押え板
６３７  ネジ
６４０  第２のフィルタ
６４１  第２のフィルタ押え板
７  保護筒
１０  保持金具
【図１】
0005489163.tif 000002
【図２】
0005489163.tif 000003
【図３】
0005489163.tif 000004
【図４】
0005489163.tif 000005
【図５】
0005489163.tif 000006